【手続補正書】
【提出日】平成17年8月3日(2005.8.3)
【手続補正１】
【補正対象書類名】特許請求の範囲
【補正対象項目名】全文
【補正方法】変更
【補正の内容】
【特許請求の範囲】
【請求項１】
ａ）対向する両端部の一方に入口、他方に出口を具え、水収容部を有する細長い外ハウジングと、
ｂ）ハウジングの少なくとも一部を複数の区画室に分割する複数の側壁を具え、
ｃ）ハウジングには複数のドラムが収容され、各ドラムは、水収容部のフレーム内に回転可能に支持され、洗濯物をドラムに入れるためのドラム入口と、洗濯物をドラムから排出するためのドラム出口とを有し、区画室の少なくとも幾つかは、その中にドラムを有しており、
ｄ）清水をハウジングの水収容部に供給する清水用ヘッダーと、
ｅ）ハウジングの水収容部から排出された水が通るすすぎ洗い水用流れラインと、
ｆ）ハウジングの水収容部から排出された水が通る処理水用流れラインと、
ｇ）前記処理水を処理水用流れラインへ送給するために、ハウジングの水収容部から排出された水が通る流れラインのうちの少なくとも１つのラインを流れる水から固形廃棄物を取り除く手段、を具えており、
ｈ）処理水用流れラインを流れる水は、洗浄ゾーンへ供給される、トンネル形連続バッチ式洗濯機。
【請求項２】
ａ）対向する両端部の一方に入口、他方に出口を具え、水収容部を有する細長い外ハウジングと、
ｂ）ハウジングの少なくとも一部を複数の区画室に分割する複数の側壁を具え、
ｃ）ハウジングには複数のドラムが収容され、各ドラムは、水収容部のフレーム内に回転可能に支持され、洗濯物をドラムに入れるためのドラム入口と、洗濯物をドラムから排出するためのドラム出口とを有し、区画室の少なくとも幾つかは、その中にドラムを有しており、
ｄ）清水をハウジングの水収容部に供給する清水用ヘッダーと、
ｅ）ハウジングの水収容部から排出された水が通るすすぎ洗い水用流れラインと、
ｆ）ハウジングの水収容部から排出され、清水用ヘッダー又はすすぎ洗い水用流れラインよりも多い流量の水が流れる処理水用流れラインと、
ｇ）前記処理水を処理水用流れラインへ送給するために、ハウジングの水収容部から排出された水が通る流れラインのうちの少なくとも１つのラインを流れる水から固形廃棄物を取り除く分離機、を具えており、
ｈ）処理水用流れラインを流れる水の少なくとも一部は、洗浄ゾーンへ供給される、トンネル形連続バッチ式洗濯機。
【請求項３】
ａ）対向する両端部の一方に入口、他方に出口を具え、水収容部を有する細長い外ハウジングと、
ｂ）ハウジングの少なくとも一部を複数の区画室に分割する複数の側壁を具え、複数の区画室は、１又は２以上の区画室からなる第１洗浄ゾーン、１又は２以上の区画室からなる第２洗浄ゾーン、１又は２以上の区画室からなるすすぎ洗いゾーン、及び、１又は２以上の区画室からなる仕上げすすぎ洗いゾーンに区分けされ、
ｃ）ハウジングには複数のドラムが収容され、各ドラムは、水収容部のフレーム内に回転可能に支持され、洗濯物をドラムに入れるためのドラム入口と、洗濯物をドラムから排出するためのドラム出口とを有し、区画室の少なくとも幾つかは、その中にドラムを有しており、
ｄ）清水をハウジングの水収容部に供給する清水用ヘッダーと、
ｅ）ハウジングの水収容部から排出された水が流れ、水の少なくとも一部がハウジングに戻されるすすぎ洗い水用流れラインと、
ｆ）ハウジングの水収容部から排出された水が流れる処理水用流れラインと、
ｇ）前記処理水を処理水用流れラインへ送給するために、ハウジングの水収容部から排出された水が通る流れラインのうちの少なくとも１つのラインを流れる水から固形廃棄物を取り除く分離機、を具えており、
ｈ）処理水用流れラインを流れる水は、洗浄ゾーンへ供給され、
ｉ）すすぎ洗い水の全部又は一部を廃棄するか、又は再利用水用流れラインへ送るかを決定するセンサーを具えている、トンネル形連続バッチ式洗濯機。
【請求項４】
ａ）対向する両端部の一方に入口、他方に出口を具え、水収容部を有する細長い外ハウジングと、
ｂ）ハウジングの少なくとも一部を複数の区画室に分割する複数の側壁を具え、
ｃ）ハウジングには複数のドラムが収容され、各ドラムは、水収容部のフレーム内に回転可能に支持され、洗濯物をドラムに入れるためのドラム入口と、洗濯物をドラムから排出するためのドラム出口とを有し、区画室の少なくとも幾つかは、その中にドラムを有すると共に、ハウジングは、該ハウジングから水を排出する１又は２以上の排出出口を有しており、
ｄ）清水をハウジングの水収容部に供給する清水用ヘッダーと、
ｅ）出口を通って排出された水を収容するタンクと、
ｆ）タンクから排出された水が通るすすぎ洗い水用流れラインと、
ｇ）タンクから排出された水が通る処理水用流れラインと、
ｈ）処理水用流れラインを流れる水から固形廃棄物を取り除くことのできる分離機、を具えており、
ｉ）処理水用流れラインを流れる水の少なくとも一部は、洗浄ゾーンへ供給され、
ｊ）すすぎ洗い水の全部又は一部を廃棄するか、又は再利用水用流れラインへ送るかを決定するセンサーを具えている、トンネル形連続バッチ式洗濯機。
【請求項５】
すすぎ洗い水用流れゾーンを流れる水は、洗浄ゾーンへ供給される請求項１乃至４の何れかに記載のトンネル形連続バッチ式洗濯機。
【請求項６】
処理水用流れラインを流れる水は、清水用ヘッダーの中を流れる水の流量よりも多い請求項１乃至４の何れかに記載のトンネル形連続バッチ式洗濯機。
【請求項７】
処理水用流れラインを流れる水は、すすぎ洗い用流れラインを流れる水の流量よりも多い請求項１乃至４の何れかに記載のトンネル形連続バッチ式洗濯機。
【請求項８】
ハウジングの水収容部から排出された水の濁度を監視する濁度メータを更に具えている請求項１乃至４の何れかに記載のトンネル形連続バッチ式洗濯機。
【請求項９】
処理水及びすすぎ洗い水から区画室への水の流れを自動的に計量する複数の弁を更に具えている請求項１乃至４の何れかに記載のトンネル形連続バッチ式洗濯機。
【請求項１０】
処理水及び清水から区画室への水の流れを自動的に計量する複数の弁を更に具えている請求項１乃至４の何れかに記載のトンネル形連続バッチ式洗濯機。
【請求項１１】
すすぎ洗い水及び清水から区画室への水の流れを自動的に計量する複数の弁を更に具えている請求項１乃至４の何れかに記載のトンネル形連続バッチ式洗濯機。
【請求項１２】
固形廃棄物を取り除く手段は遠心分離機を含んでいる請求項１乃至４の何れかに記載のトンネル形連続バッチ式洗濯機。
【請求項１３】
オゾンを処理水用流れラインに注入する手段を更に具えている請求項１乃至４の何れかに記載のトンネル形連続バッチ式洗濯機。
【請求項１４】
ａ）対向する両端部の一方にホッパー入口、他方に出口を具え、水収容部を有する細長い外ハウジングと、
ｂ）ハウジングの少なくとも一部を複数の区画室に分割する複数の側壁を具え、
ｃ）ハウジングには複数のドラムが収容され、各ドラムは、水収容部のフレーム内に回転可能に支持され、洗濯物をドラムに入れるためのドラム入口と、洗濯物をドラムから排出するためのドラム出口とを有し、区画室の少なくとも幾つかは、その中にドラムを有しており、
ｄ）少なくとも複数のドラムは、ドラムが所定角度回転したとき、洗濯物を１つの区画室から隣接する他の区画室へ移送させる傾斜シュートを有しており、
ｅ）清水をハウジングの水収容部に供給する清水用ヘッダーと、
ｆ）ハウジングの水収容部から排出された水が通るすすぎ洗い水用流れラインと、
ｇ）ハウジングの水収容部から排出された水が通る処理水用流れラインと、
ｈ）前記処理水を処理水用流れラインへ送給するために、ハウジングの水収容部から排出された水が通る流れラインのうちの少なくとも１つのラインを流れる水から固形廃棄物を取り除く手段、を具えており、
ｉ）処理水用流れラインを流れる水は、洗浄ゾーンへ供給される、トンネル形連続バッチ式洗濯機。
【請求項１５】
ａ）対向する両端部の一方にホッパー入口、他方に出口を具え、水収容部を有する細長い外ハウジングと、
ｂ）ハウジングの少なくとも一部を複数の区画室に分割する複数の側壁を具え、
ｃ）ハウジングには複数のドラムが収容され、各ドラムは、水収容部のフレーム内に回転可能に支持され、洗濯物をドラムに入れるためのドラム入口と、洗濯物をドラムから排出するためのドラム出口とを有し、区画室の少なくとも幾つかは、その中にドラムを有しており、
ｄ）少なくとも複数のドラムは、ドラムが所定角度回転したとき、洗濯物を１つの区画室から隣接する他の区画室へ移送させる傾斜シュートを有しており、
ｅ）清水をハウジングの水収容部に供給する清水用ヘッダーと、
ｆ）ハウジングの水収容部から排出された水が通るすすぎ洗い水用流れラインと、
ｇ）ハウジングの水収容部から排出された水が通る処理水用流れラインと、
ｈ）前記処理水を処理水用流れラインへ送給するために、ハウジングの水収容部から排出された水が通る流れラインのうちの少なくとも１つのラインを流れる水から固形廃棄物を取り除く手段、を具えており、
ｉ）処理水用流れラインを流れる水の流量は、他の流れラインのうちの１つのラインの流量よりも２倍以上である、トンネル形連続バッチ式洗濯機。
【請求項１６】
ａ）対向する両端部の一方にホッパー入口、他方に出口を具え、水収容部を有する細長い外ハウジングと、
ｂ）ハウジングの少なくとも一部を複数の区画室に分割する複数の側壁を具え、
ｃ）ハウジングには複数のドラムが収容され、各ドラムは、水収容部のフレーム内に回転可能に支持され、洗濯物をドラムに入れるためのドラム入口と、洗濯物をドラムから排出するためのドラム出口とを有し、区画室の少なくとも幾つかは、その中にドラムを有しており、
ｄ）少なくとも複数のドラムは、ドラムが所定角度回転したとき、洗濯物を１つの区画室から隣接する他の区画室へ移送させる傾斜シュートを有しており、
ｅ）清水をハウジングの水収容部に供給する清水用ヘッダーと、
ｆ）ハウジングの水収容部から排出された水が通るすすぎ洗い水用流れラインと、
ｇ）ハウジングの水収容部から排出された水が通る処理水用流れラインと、
ｈ）前記処理水を処理水用流れラインへ送給するために、ハウジングの水収容部から排出された水が通る流れラインのうちの少なくとも１つのラインを流れる水から固形廃棄物を取り除く分離機、を具えており、
ｉ）処理水用流れラインを流れる水は、洗浄ゾーンへ供給され、
ｊ）すすぎ洗い水の全部又は一部を廃棄するか、又は再利用水用流れラインへ送るかを決定するセンサーを具えている、トンネル形連続バッチ式洗濯機。
【請求項１７】
ａ）対向する両端部の一方に入口、他方に出口を具え、水収容部を有する細長い外ハウジングと、
ｂ）ハウジングの少なくとも一部を複数の区画室に分割する複数の側壁を具え、複数の区画室は、１又は２以上の区画室からなる第１洗浄ゾーン、１又は２以上の区画室からなる第２洗浄ゾーン、１又は２以上の区画室からなるすすぎ洗いゾーン、１又は２以上の区画室からなる仕上げすすぎ洗いゾーンに区分けされ、
ｃ）ハウジングには複数のドラムが収容され、各ドラムは、水収容部のフレーム内に回転可能に支持され、洗濯物をドラムに入れるためのドラム入口と、洗濯物をドラムから排出するためのドラム出口とを有し、区画室の少なくとも幾つかは、その中にドラムを有しており、
ｄ）少なくとも複数のドラムは、ドラムが所定角度回転したとき、洗濯物を１つの区画室から隣接する他の区画室へ移送させる傾斜シュートを有しており、
ｅ）清水をハウジングの水収容部に供給する清水用ヘッダーと、
ｆ）ハウジングの水収容部から排出された水が流れるすすぎ洗い水用流れラインと、
ｇ）ハウジングの水収容部から排出された水が流れる処理水用流れラインと、
ｈ）前記処理水を処理水用流れラインへ送給するために、ハウジングの水収容部から排出された水が流れる流れラインのうちの少なくとも１つのラインを流れる水から固形廃棄物を取り除く手段、を具えており、
ｉ）処理水用流れラインを流れる水の流量は、他の流れラインのうちの１つのラインの流量よりも２倍以上である、トンネル形連続バッチ式洗濯機。